(57)【要約】【課題】塩化ビニルから基材にシリコンゴムからなるシリコン部材を溶着させて一体的に積層する基材とシリコン部材との一体積層方法に関する。【解決手段】シリコンゴムからなるシリコン部材と塩化ビニルからなる基材との間に、塩化ビニルからなる接合シート７を介在させ、シリコン部材と接合シート７との積層面の少なくともいずれか一方の面に、シリコンゴムと他の物質とを付着固定させるための前処理剤を塗布し、予めシリコン部材と接合シート７とを加熱圧着した後、接合シート７の他方の面と基材の片側の面とを加熱圧着する。【選択図】図３
2006035639.tif 000002
【特許請求の範囲】
【請求項１】
塩化ビニルからなる基材と、シリコンゴムからなるシリコン部材とを一体的に積層する方法において、塩化ビニルからなる接合シート（７）を上記基材とシリコン部材との間に介在させ、上記シリコン部材と接合シート（７）との積層面の少なくともいずれか一方の面に、シリコンゴムと他の物質とを付着固定させるための前処理剤を塗布して、予めシリコン部材と接合シート（７）とを加熱圧着した後、接合シート（７）の他方の面と基材の片側の面とを加熱圧着することにより基材とシリコン部材とを一体的に付着固定させる基材とシリコン部材との一体積層方法。
【請求項２】
シリコン部材が導電性を有するシリコンゴムからなる請求項１の基材とシリコン部材との一体積層方法。
【請求項３】
接合シート（７）におけるシリコン部材との積層面に前処理剤を予め塗布し、シリコンゴム（１０）と接合シート（７）とをプレス加工により加熱圧着して接合シート（７）が一体成形されたシリコン部材を成形する請求項１又は２の基材とシリコン部材との一体積層方法。
【請求項４】
シリコンゴム（１０）と接合シート（７）とのプレス加工時に、前記シリコンゴム（１０）と接合シート（７）との間にケーブル（８）が接続された電極（６）を挿入し、シリコン部材内に電極（６）を埋め込む請求項２又は３の基材とシリコン部材との一体積層方法。
【請求項５】
シリコン部材が、低周波治療器等の人体に電流を流すための導子（１）における接触部（３）であり、基材が上記導子（１）のシート状の外装（２）である請求項２又は３又は４の基材とシリコン部材との一体積層方法。
【発明の詳細な説明】
【技術分野】
【０００１】
本発明は、基材とシリコン部材とを一体的に付着固定させる基材とシリコン部材との一体積層方法に関する。
【背景技術】
【０００２】
導電材としてカーボンが混入された導電性を有するシリコンゴムが従来から知られている。該シリコンゴムは低周波治療器等の人体に電流を流すための導子に使用されるケースがある。この場合導子における人体側との接触部が上記シリコンゴムからなるシリコン部材から構成される。上記導子は、複数の接触部が外装であるポリウレタン系の塩化ビニルからなるシートの表面に設けられたものが公知となっている。
【０００３】
上記接触部を上記シートの表面に設けるためには、接触部をシートに一体的に取り付ける必要がある。従来は両面テープによって接触部がシートに固定されている。なお発明者は接触部のシートへの固定方法を示す特許文献及び非特許文献は知らない。
【発明の開示】
【発明が解決しようとする課題】
【０００４】
一方上記導子は、導子と人体との間に含水スポンジ等を介在させ、該含水スポンジ等を介して接触部を人体に接触させて使用する場合がある。しかし上記のように含水スポンジ等の水分を含むものを導子と人体との間に介在させると、両面テープの接着性が低下して接触部がシートから外れる場合があるという欠点がある。
【課題を解決するための手段】
【０００５】
上記課題を解決するための本発明の基材とシリコン部材との一体積層方法は、塩化ビニルからなる基材と、シリコンゴムからなるシリコン部材とを一体的に積層する方法において、塩化ビニルからなる接合シート７を上記基材とシリコン部材との間に介在させ、上記シリコン部材と接合シート７との積層面の少なくともいずれか一方の面に、シリコンゴムと他の物質とを付着固定させるための前処理剤を塗布して、予めシリコン部材と接合シート７とを加熱圧着した後、接合シート７の他方の面と基材の片側の面とを加熱圧着することにより基材とシリコン部材とを一体的に付着固定させることを第１の特徴としている。
【０００６】
第２に、シリコン部材が導電性を有するシリコンゴムからなることを特徴としている。
【０００７】
第３に、接合シート７におけるシリコン部材との積層面に前処理剤を予め塗布し、シリコンゴム１０と接合シート７とをプレス加工により加熱圧着して接合シート７が一体成形されたシリコン部材を成形することを特徴としている。
【０００８】
第４に、シリコンゴム１０と接合シート７とのプレス加工時に、前記シリコンゴム１０と接合シート７との間にケーブル８が接続された電極６を挿入し、シリコン部材内に電極６を埋め込むことを特徴としている。
【０００９】
第５に、シリコン部材が、低周波治療器等の人体に電流を流すための導子１における接触部３であり、基材が上記導子１のシート状の外装２であることを特徴としている。
【発明の効果】
【００１０】
以上のような本基材とシリコン部材との一体積層方法によると、シリコン部材が基材に接着剤や両面テープ等による接着ではなく、加熱圧着により一体的に付着固定されて積層される。これによりシリコン部材と基材とが強固に一体化され、容易に分離することがないという効果がある。
【００１１】
またシリコン部材を導電性を有するシリコンゴムから構成することによって、例えばシリコン部材を低周波治療器等の人体に電流を流すための導子における接触部とし、基材を上記導子のシート状の外装とすることができる。この場合導子と人体との間に含水スポンジ等を介在させても、水分によりシリコン部材（接触部）と基材とが分離する等の不都合が防止される。また導子の使用者が動いたりすることがあってもシリコン部材と基材とが分離することもなく、高品質の導子の製造が可能となる。
【００１２】
一方接合シートにおけるシリコン部材との積層面に前処理剤を予め塗布し、シリコンゴムと接合シートとをプレス加工により加熱圧着してシリコン部材と接合シートとを一体成形することによって、接合シートが一体的に加熱圧着されたシリコン部材を予め容易に製造することができる。
【００１３】
そしてシリコンゴムと接合シートとのプレス加工時に、前記シリコンゴムと接合シートとの間にケーブルが接続された電極を挿入し、シリコン部材内に電極を埋め込むことによって、シリコン部材に簡単にケーブルを取り付けることができる。
【発明を実施するための最良の形態】
【００１４】
図１は本発明の基材とシリコン部材との一体積層方法を採用して製造した低周波治療器等の導子１の平面図である。該導子１はポリウレタン系の塩化ビニルからなる袋状のシートを外装２とし、外装２の表面に、シリコンゴムからなる複数の接触部３が一体的に取り付けられた構造となっている。
【００１５】
接触部３を形成するシリコンゴムは、導電材となるカーボンが混入され、導電性を有している。各接触部３にはケーブルが接続されており、従来公知のように各接触部３はパルス状の電流を人体側に流す。
【００１６】
図２（ａ），（ｂ）及び図３は、１つの接触部部分の平面斜視図，底面斜視図及び断面図である。接触部３は端面につば（フランジ）４ａを備えた円柱形状をなす本体４と、該本体４内に埋め込まれた電極６と、本体４の底面側に一体成形された底面シート７とからなる。
【００１７】
本体４が、上記カーボンが混入されたシリコンゴムから形成されている。電極６はステンレスからなるメッシュ状の薄板である。上記ケーブル８は電極６に接続されている。底面シート７はポリウレタン系の塩化ビニルによって形成されている。後述するように底面シート７と本体４とは一体成形される。
【００１８】
図４に示されるように、プレスのメス型９に底面シート７→電極６→カーボンが混入されたシリコンゴム（生ゴム塊）１０を収容し、オス型でプレス加工して加熱することによって、図５に示されるように、上記形状の接触部４が成形される。なお上記プレス加工は、１６５℃で６分間行なわれる。その後底面シート７が本体４に一体成形された接触部を１５０℃で３時間加硫することによって接触部３が完成する。
【００１９】
電極６には、接触部３の成形前に予めケーブル８をハンダ付け等によって接続しておく。このため底面シート７及びメス型９には予めケーブル８を挿通させる孔が設けられている。そして上記プレス加工による成形によって電極６は本体４内に埋め込まれる。
【００２０】
底面シート７は、生ゴム塊１０との接触側の面に、上記接触部３の成形前に予め、シリコンゴムと他の物質とを付着固定させるための前処理剤（プライマ）が塗布されている。本実施形態においては、プライマとして、信越化学工業株式会社のプライマNo.4を使用している。プライマNo.4は、シリコンゴムと金属とを接着させることを主な目的としたものであり、リグロイン溶液で成分割合が２０％となるように希釈し、底面シート７に塗布後、２５℃で１５〜２０分乾燥される。
【００２１】
以上のように、シリコンゴムからなる本体３の底面に、ポリウレタン系の塩化ビニルからなる底面シート７が一体的に積層成形されて接触部３が形成される。その後、図６に示されるように底面シート７に対して外装２の表面２Ｕを高周波ウェルダ等によって上記底面シート７の所定の範囲Ｈに対して加熱圧着することによって、外装２と接触部３とが一体的に付着固定される。
【００２２】
そして外装２に複数の接触部３を上記同様に一体的に付着固定し、外装２の袋内においてケーブル８を配線し、袋内に所定のクッションや絶縁体等を収納することによって導子１が完成する。このとき外装２（シート）の表面２Ｕと接触部３の底面シート７とが加熱圧着（溶着）されており、且つ底面シート７と本体４とがプレス加工によって加熱圧着されているため、接触部３と導子１の外装２とが容易に分離することはない。
【００２３】
このため導子１と人体との間に含水スポンジ等を介在させても、水分により接触部３と導子１の外装２との接着力が低下して分離する等の不都合はなく、また導子１の使用者が動いたりすることがあっても接触部３と導子１の外装２とが分離することはなく、高品質の導子１となる。一方上記のように接触部３が予めプレス加工により製造されるため、接触部３のみを製造し、後で接触部３を外装２に溶着することができるため、導子２の製造を容易に行うことができる。
【００２４】
なお予めケーブル８が接続された電極６を本体４内に埋め込むことによって、接触部３に容易にケーブル８を取り付けることができるとともに、ケーブル８の接触不良を防止することができ、配線関係の不都合を防止することもできる。
【図面の簡単な説明】
【００２５】
【図１】低周波治療器等の導子の平面図である。
【図２】（ａ），（ｂ）は、１つの接触部部分の平面斜視図及び底面斜視図である。
【図３】１つの接触部部分の断面図である。
【図４】接触部のプレス成形開始前の状態を示す斜視図である。
【図５】接触部のプレス成形時の状態を示す断面図である。
【図６】接触部とシートとの溶着時の状態を示す側面図である。
【符号の説明】
【００２６】
１    導子
２    外装
３    接触部
６    電極
７    底面シート（接合シート）
８    ケーブル
１０  生ゴム塊（シリコンゴム）
【図１】
2006035639.tif 000003
【図２】
2006035639.tif 000004
【図３】
2006035639.tif 000005
【図４】
2006035639.tif 000006
【図５】
2006035639.tif 000007
【図６】
2006035639.tif 000008